(57)【要約】【課題】  構成部品の点数を削減できるとともに、各部品の構成を簡単にすることにより、製造を容易にし、製造コストを低減させる。【解決手段】  ２本のパイプ２５、２８を折り畳み可能に連結する連結金具１であって、一方のパイプ２５の連結部２６に取り付けられる雌金具２と、他方のパイプ２８の連結部２９に取り付けられるとともに、前記雌金具２と相互に嵌合可能な雄金具９と、前記雌金具２と前記雄金具９とを嵌合状態又は非嵌合状態にロックするロック手段１６とを備えてなる。【選択図】        図１
2010029357.tif 000002
【特許請求の範囲】
【請求項１】
２本のパイプを折り畳み可能に連結する連結金具であって、
一方のパイプの連結部に取り付けられる雌金具と、他方のパイプの連結部に取り付けられるとともに、前記雌金具と相互に嵌合可能な雄金具と、前記雌金具と前記雄金具とを嵌合状態又は非嵌合状態にロックするロック手段とを備えてなることを特徴とする連結金具。
【請求項２】
前記ロック手段は、前記雌金具と前記雄金具とを接離可能に連結する線状部材と、前記雌金具と前記雄金具とを相対的に接近する方向に付勢するばねと、前記雌金具又は前記雄金具に設けられる係止溝とからなり、
前記ばねの付勢力により、前記雌金具と前記雄金具とが相互に嵌合された状態にロックされ、前記線状部材の一部を前記係止溝に係止させることにより、前記ばねの付勢力に抗して前記雌金具と前記雄金具とが非嵌合状態にロックされることを特徴とする請求項１に記載の連結金具。
【請求項３】
前記雌金具は、内周面が所定の角度のテーパ面に形成される被嵌合部と、該被嵌合部と一体に形成されるとともに、前記一方のパイプの連結部に取り付けられる取付部とからなり、
前記雄金具は、外周面が前記被嵌合部のテーパ面と合致する角度のテーパ面に形成される嵌合部と、該嵌合部と一体に形成されるとともに、前記他方のパイプの連結部に取り付けられる取付部とからなることを特徴とする請求項１又は２に記載の連結金具。
【請求項４】
前記線状部材は、前記雌金具及び前記雄金具を貫通して、一端が前記雌金具又は前記雄金具に固着され、他端が前記他方のパイプ又は前記一方のパイプに固着され、
前記ばねは、前記雄金具又は前記雌金具と前記他方のパイプ又は前記一方のパイプとの間に介装されていることを特徴とする請求項２又は３に記載の連結金具。
【請求項５】
前記線状部材には複数の係止具が固着され、前記ばねの付勢力に抗して前記雌金具と前記雄金具とを離間させた状態で、何れかの係止具を前記係止溝に係止させることにより、前記雌金具と前記雄金具とが非嵌合状態にロックされることを特徴とする請求項２から４の何れかに記載の連結金具。
【請求項６】
複数のパイプを折り畳み可能に連結してなる歩行用ストックであって、
隣接する２本のパイプ間の連結部に請求項１から５に記載の連結金具を用いたことを特徴とする歩行用ストック。
【請求項７】
前記複数のパイプのうちの一端のパイプには、長さ調整手段を介して把手が取り付けられ、該長さ調整手段により一端のパイプの長さが調整可能に構成されていることを特徴とする請求項６に記載の歩行用ストック。
【請求項８】
前記複数のパイプのうちの他端のパイプには、弾性体からなる石突が取り付けられていることを特徴とする請求項６又は７に記載の歩行用ストック。
【発明の詳細な説明】
【技術分野】
【０００１】
本発明は、連結金具及び歩行用ストックに関し、特に、２本のパイプを折り畳み可能に連結する連結金具及びその連結金具を用いた折り畳み可能な歩行用ストックに関する。
【背景技術】
【０００２】
この種の折り畳み式の歩行用ストックの一例が特許文献１に記載されている。この歩行用ストックは、複数のパイプを連結金具によって折り畳み可能に連結して構成したものであって、隣接する２本のパイプの一方のパイプの連結部に取り付けられる凹状金具と、他方のパイプの連結部に取り付けられるとともに、凹状金具と相互に嵌合可能な凸状金具と、一方のパイプに取り付けられるばね受けと、他方のパイプに取り付けられる緩衝ゴムと、凹状金具及び凸状金具を貫通して一端がばね受けに止めリングを介して連結され、他端が緩衝ゴムに止めリングを介して連結されるワイヤーと、一方のパイプの凹状金具とばね受けとの間に装着されるばねと、一方のパイプ内のワイヤーの途中に設けられるストッパー金具とを備えている。
【０００３】
上記のような構成の歩行用ストックにあっては、隣接する２本のパイプをばねの付勢力に抗して互いに引き離す方向に引っ張ることにより、凹状金具と凸状金具との連結状態が解除されて２本のパイプを折り畳むことができる。この場合、ストッパー金具を凹状金具の一部に係止させることにより、２本のパイプを互いに引き離した状態に固定することができる。
【０００４】
また、凸状金具を再び凹状金具に挿入することによりストッパー金具による係止状態が解除されて、ばねの付勢力によって凹状金具と凸状金具とが強く嵌合され、２本のパイプが凹状金具と凸状金具を介して一体に連結されるというものである。
【特許文献１】特開２００４−３２９８３９号公報
【発明の開示】
【発明が解決しようとする課題】
【０００５】
ところで、上記のような構成の歩行用ストックにあっては、隣接する２本のパイプを連結する連結金具が、凹状金具、凸状金具、ワイヤー、ばね受け、緩衝ゴム、ストッパー金具、止めリング等の複数の部品から構成されているため、全体としての部品の点数が多く、製造、組立に時間と手間がかかり、製造費が高くついてしまう。
【０００６】
本発明は、上記のような従来の問題に鑑みなされたものであって、構成する部品の点数を少なくすることができ、これにより製造、組立に要する時間と手間を削減することができて、製造費を安く抑えることができる連結金具及び歩行用ストックを提供することを目的とする。
【課題を解決するための手段】
【０００７】
上記のような課題を解決するために、本発明は、以下のような手段を採用している。
すなわち、請求項１に係る発明は、２本のパイプを折り畳み可能に連結する連結金具であって、一方のパイプの連結部に取り付けられる雌金具と、他方のパイプの連結部に取り付けられるとともに、前記雌金具と相互に嵌合可能な雄金具と、前記雌金具と前記雄金具とを嵌合状態又は非嵌合状態にロックするロック手段とを備えてなることを特徴とする。
【０００８】
本発明による連結金具によれば、一方のパイプの雌金具と他方のパイプの雄金具とを相互に嵌合させ、ロック手段によってロックすることにより、両金具が嵌合された状態にロックされ、２本のパイプが両金具を介して連結される。
また、一方のパイプの雌金具と他方のパイプの雄金具とを相互に引き離し、両金具の嵌合状態を解除し、ロック手段によってロックすることにより、両金具が非嵌合状態にロックされ、２本のパイプが相互に折り畳み可能な状態となる。
【０００９】
請求項２に係る発明は、請求項１に記載の連結金具であって、前記ロック手段は、前記雌金具と前記雄金具とを接離可能に連結する線状部材と、前記雌金具と前記雄金具とを相対的に接近する方向に付勢するばねと、前記雌金具又は前記雄金具に設けられる係止溝とからなり、前記ばねの付勢力により、前記雌金具と前記雄金具とが相互に嵌合された状態にロックされ、前記線状部材の一部を前記係止溝に係止させることにより、前記ばねの付勢力に抗して前記雌金具と前記雄金具とが非嵌合状態にロックされることを特徴とする。
【００１０】
本発明による連結金具によれば、ロック手段のばねの付勢力によって雌金具と雄金具とが相互に嵌合された状態にロックされ、２本のパイプが両金具を介して連結される。また、ロック手段のばねの付勢力に抗して雌金具と雄金具とを相互に引き離し、線状部材の一部を係止溝に係止させることにより、ばねの付勢力に抗して雌金具と雄金具とが非嵌合状態にロックされ、２本のパイプが相互に折り畳み可能な状態となる。
【００１１】
請求項３に係る発明は、請求項１又は２に記載の連結金具であって、前記雌金具は、内周面が所定の角度のテーパ面に形成される被嵌合部と、該被嵌合部と一体に形成されるとともに、前記一方のパイプの連結部に取り付けられる取付部とからなり、前記雄金具は、外周面が前記被嵌合部のテーパ面と合致する角度のテーパ面に形成される嵌合部と、該嵌合部と一体に形成されるとともに、前記他方のパイプの連結部に取り付けられる取付部とからなることを特徴とする。
【００１２】
本発明による連結金具によれば、雌金具は、取付部を介して一方のパイプの連結部に取り付けられ、雄金具は、取付部を介して他方のパイプの連結部に取り付けられ、雌金具の被嵌合部と雄金具の嵌合部とを相互に嵌合させることにより、両金具を介して２本のパイプが連結されることになる。また、両金具を引き離して両金具の嵌合状態を解除することにより、２本のパイプが相互に折り畳み可能な状態となる。
【００１３】
請求項４に係る発明は、請求項２又は３に記載の連結金具であって、前記線状部材は、前記雌金具及び前記雄金具を貫通して、一端が前記雌金具又は前記雄金具に固着され、他端が前記他方のパイプ又は前記一方のパイプに固着され、前記ばねは、前記雄金具又は前記雌金具と前記他方のパイプ又は前記一方のパイプとの間に介装されていることを特徴とする。
【００１４】
本発明による連結金具によれば、線状部材を介して一方のパイプと他方のパイプとが接離可能に連結されるとともに、ばねの付勢力によって雄金具又は雌金具が相手方金具の方向、他方のパイプ又は一方のパイプが相手側パイプの方向に付勢されることになる。
【００１５】
請求項５に係る発明は、請求項２から４の何れかに記載の連結金具であって、前記線状部材には複数の係止具が固着され、前記ばねの付勢力に抗して前記雌金具と前記雄金具とを離間させた状態で、何れかの係止具を前記係止溝に係止させることにより、前記雌金具と前記雄金具とが非嵌合状態にロックされることを特徴とする。
【００１６】
本発明による連結金具によれば、雌金具と雄金具とをばねの付勢力に抗して相互に引き離した状態で、線状部材の何れかの係止具を係止溝に係止させることにより、雌金具と雄金具とが引き離された状態（非嵌合状態）にロックされ、２本のパイプが互いに折り畳み可能な状態になる。
【００１７】
請求項６に係る発明は、複数のパイプを折り畳み可能に連結してなる歩行用ストックであって、隣接する２本のパイプ間の連結部に請求項１から５に記載の連結金具を用いたことを特徴とする。
【００１８】
本発明による歩行用ストックによれば、隣接する２本のパイプの雌金具と雄金具とを互いに嵌合させ、ロック手段により嵌合状態にロックすることにより、隣接する２本のパイプが両金具を介して相互に連結され、複数のパイプからなる棒状のストックが構成される。また、隣接する２本のパイプの雌金具と雄金具とを互いに離間させて両金具の嵌合状態を解除し、ロック手段により非嵌合状態にロックすることにより、隣接する２本のパイプが相互に折り畳み可能な状態となり、ストック全体を折り畳むことが可能となる。
【００１９】
請求項７に係る発明は、請求項６に記載の歩行用ストックであって、前記複数のパイプのうちの一端のパイプには、長さ調整手段を介して把手が取り付けられ、該長さ調整手段により一端のパイプの長さが調整可能に構成されていることを特徴とする。
【００２０】
本発明による歩行用ストックによれば、一端のパイプの長さを長さ調整手段によって調整することにより、歩行用ストックの全長を調整することができ、身長等の異なる様々な人々に対応することが可能となる。
【００２１】
請求項８に係る発明は、請求項６又は７に記載の歩行用ストックであって、前記複数のパイプのうちの他端のパイプには、弾性体からなる石突が取り付けられていることを特徴とする。
【００２２】
本発明による歩行用ストックによれば、地面に突く際に、弾性体からなる石突が地面に接触することになるので、歩行用ストックを突く際の衝撃を緩衝させることができる。
【発明の効果】
【００２３】
以上、説明したように、本発明の連結金具及び歩行用ストックによれば、連結金具は、雌金具と、雄金具と、雌金具と雄金具とを嵌合状態又は非嵌合状態にロックするロック手段とからなるものであって、構成部品の点数が少なく、各部品の構成が簡単であるので、製造、組立に要する時間と手間を削減することができ、製造費を安く抑えることができる。
また、ロック手段は、雌金具と雄金具とを接離可能に連結する線状部材と、雌金具と雄金具とを相対的に接近する方向に付勢するばねと、雌金具又は雄金具に設けられる係止溝とからなる簡単な構成のものであるので、製造、組立に要する時間と手間を削減することができ、製造費を安く抑えることができる。
さらに、雌金具は、内周面が所定の角度のテーパ面に形成される被嵌合部と、被嵌合部と一体に形成されるとともに、一方のパイプの連結部に取り付けられる取付部とからなり、雄金具は、外周面が前記被嵌合部のテーパ面と合致する角度のテーパ面に形成される嵌合部と、嵌合部と一体に形成されるとともに、他方のパイプの連結部に取り付けられる取付部とからなる簡単な構成のものであるので、製造、組立に要する時間と手間を削減することができ、製造費を安く抑えることができる。
さらに、ロック手段の線状部材は、雌金具及び雄金具を貫通して、一端が雌金具又は雄金具に固着され、他端が他方のパイプ又は一方のパイプに固着され、ばねは、雄金具又は雌金具と他方のパイプ又は一方のパイプとの間に介装される簡単な構成のものであるので、製造、組立に要する時間と手間を削減することができ、製造費を安く抑えることができる。
さらに、線状部材には複数の係止具が固着され、ばねの付勢力に抗して雌金具と雄金具とを離間させた状態で、何れかの係止具を係止溝に係止させることにより、雌金具と雄金具とが非嵌合状態にロックされることになるので、ロック手段の構成を簡単にすることができ、製造、組立に要する時間と手間を削減することができ、製造費を安く抑えることができる。
さらに、本発明の歩行用ストックによれば、一端のパイプの長さを長さ調整手段によって調整することにより、歩行用ストックの全長を調整することができるので、身長等の異なる様々な人々に対応することが可能となる。
さらに、歩行用ストックを地面に突く際に、弾性体からなる石突が地面に接触することになるので、突く際の衝撃を緩衝させることができる。
【発明を実施するための最良の形態】
【００２４】
以下、図面を参照しながら本発明の実施の形態について説明する。
図１〜図３には、本発明による連結金具の一実施の形態が示されていて、図１は連結金具の嵌合状態を示す概略断面図、図２は連結金具の非嵌合状態を示す概略断面図、図３は雌金具と雄金具との関係を示す説明図である。
【００２５】
すなわち、本実施の形態の連結金具１は、２本のパイプ２５、２８を折り畳み可能に連結するのに有効なものであって、図１及び図２に示すように、一方のパイプ２５の連結部２６に取り付けられる雌金具２と、他方のパイプ２８の連結部２９に取り付けられるとともに、雌金具２と相互に嵌合可能な雄金具９と、雌金具２と雄金具９とを嵌合状態又は非嵌合状態にロックするロック手段１６とを備えている。
【００２６】
雌金具２は、図１〜図３に示すように、円筒状の取付部３と、取付部３と兼用の被嵌合部６と、取付部３の一端に一体に設けられる環状のフランジ部８とから構成され、被嵌合部６の内周面７は所定の角度のテーパ面に形成されている。
【００２７】
雌金具２は、取付部３の外周面５を一方のパイプ２５の連結部２６の内周面２７に嵌合させ、フランジ部８を一方のパイプ２５の連結部２６の端面に当接させることにより、被嵌合部６が一方のパイプ２５の連結部２６の端面から突出した状態に取り付けられる。
【００２８】
雄金具９は、図１〜図３に示すように、円筒状の取付部１０と、取付部１０の一端に一体に設けられるとともに、外周面１３が雌金具２の被嵌合部６の内周面７と合致する角度のテーパ面に形成される嵌合部１２と、取付部１０と嵌合部１２との境界部に設けられる環状のフランジ部１５とから構成されている。
【００２９】
雄金具９は、取付部１０の外周面１１を他方のパイプ２８の連結部２９の内周面３０に嵌合させ、フランジ部１５を他方のパイプ２８の連結部２９の端面に当接させることにより、嵌合部１２が他方のパイプ２８の連結部２９の端面から突出した状態に取り付けられる。
【００３０】
ロック手段１６は、図１及び図２に示すように、雌金具２及び雄金具９の中心部を貫通して、一端が雌金具２の取付部３に固着され、他端が他方のパイプ２８に固着されるワイヤー、合成樹脂製の紐等からなる線状部材１７と、雄金具９と他方のパイプ２８との間に介装されるばね２１と、雄金具９の嵌合部１２の開口端部に設けられる複数の係止溝１４とを備えている。
【００３１】
線状部材１７の一端には、合成樹脂、合成ゴム、金属等からなる円板状の第１固着具１８が一体に取り付けられ、この第１固着具１８を介して線状部材１７の一端が雌金具２の取付部３に固着されている。また、線状部材１７の他端には、合成樹脂、合成ゴム、金属等からなる円板状の第２固着具１９が一体に取り付けられ、この第２固着具１９を介して線状部材１７の他端が他方のパイプ２８の内周面３０に固着されている。
【００３２】
この場合、第１固着具１８及び第２固着具１９は、それらを貫通させた線状部材１７の一端及び他端にスリーブをかしめ付けることにより、雌金具２の取付部３及び他方のパイプ２８の内周面３０に固着されている。
【００３３】
ばね２１は、圧縮コイルスプリングであって、第２固着具１９と雄金具９の取付部１０との間に圧縮された状態で介装され、このばね２１の付勢力が線状部材１７を介して雌金具２に伝達され、雌金具２と雄金具９とが互いに接近する方向に付勢され、雌金具２の被嵌合部６と雄金具９の嵌合部１２とが相互に嵌合された状態にロックされ、両金具２、９を介して２本のパイプ２５、２８が一体に連結される。
【００３４】
線状部材１７には、所定の間隔ごとに複数の球形状の係止具２０が一体に取り付けられ、雌金具２と雄金具９とを互いに離間させた状態で、線状部材１７の一部を雄金具９の嵌合部１２の係止溝１４内に嵌合部１２の内面側から外面側に向けて通して、何れかの係止具２０を嵌合部１２の外面側に係止させることで、雌金具２と雄金具９とが互いに離間した状態（雌金具２の被嵌合部６と雄金具９の嵌合部１２とが非嵌合状態）にロックされ、２本のパイプ２５、２８が互いに折り畳み可能な状態となる。
【００３５】
なお、本実施の形態においては、線状部材１７の一端を雌金具２の取付部３に固着させ、他端を他方のパイプ２８に固着させ、他方のパイプ２８と雄金具９との間にばね２１を介装させているが、線状部材１７の一端を雄金具９の取付部１０に固着させ、他端を一方のパイプ２５に固着させ、一方のパイプ２５と雌金具２との間にばね２１を介装させるように構成してもよい。この場合には、雌金具２の被嵌合部６の開口端部に係止溝を設ければよい。
【００３６】
上記のように構成した本実施の形態による連結金具１にあっては、図２に示すように、２本のパイプ２５、２８をばね２１の付勢力に抗して互いに離間する方向に引っ張り、線状部材１７を雄金具９の嵌合部１２の係止溝１４に通して、何れかの係止具２０を嵌合部１２の外面側に係止させることで、雌金具２と雄金具９とが離間した状態（非嵌合状態）にロックされ、２本のパイプ２５、２８を相互に折り畳み可能な状態とすることができる。
【００３７】
また、図１に示すように、２本のパイプ２５、２８をばね２１の付勢力に抗して互いに離間する方向に引っ張り、係止溝１４から係止具２０及び線状部材１７を外すことにより、ばね２１の付勢力によって雌金具２と雄金具９とが互いに接近する方向に付勢され、雌金具２の被嵌合部６と雄金具９の嵌合部１２とが互いに嵌合された状態にロックされ、２本のパイプ２５、２８を両金具２、９を介して一体に連結することができる。
【００３８】
この場合、連結金具１は、雌金具２と、雄金具９と、雌金具２と雄金具９とを嵌合状態又は非嵌合状態にロックするロック手段１６（雄金具９に設けられる係止溝１４、線状部材１７、線状部材１７に設けられる係止具２０、第１固着具１８、第２固着具１９、及びばね２１）からなるものであって、全体としての部品点数が少なく、各構成部品の構造が簡単なものであるので、製造、組立に要する時間と手間を削減することができ、安価なものを提供することができる。
【００３９】
なお、前記の説明においては、雄金具９の嵌合部１２の係止溝１４に線状部材１７を通して嵌合部１２の外面側に係止具２０を係止させたが、例えば、係止溝１４をＶ形状等に形成して、この係止溝１４内に線状部材１７を係合させるように構成してもよい。このような構成とすることにより、線状部材１７に係止具２０を設ける必要はなくなるものである。
【００４０】
次に、上記のように構成した連結金具１を用いて折り畳み可能に構成した本発明の歩行用ストック３５について説明する。
図４〜図６には、本発明による歩行用ストック３５の一実施の形態が示されていて、図４は歩行用ストックの全体を示す概略図、図５は図４の部分拡大図、図６は図５の拡大断面図である。
【００４１】
すなわち、この歩行用ストック３５は、図４に示すように、複数のパイプ２５、２８……と、隣接する２本のパイプ２５、２８を相互に折り畳み可能に連結する前述した連結金具１と、一端のパイプ２５の端部に取り付けられて使用者が握れるようになっている把手３６と、他端のパイプ２８の端部に取り付けられる合成ゴム、合成樹脂等の弾性体から形成される石突３７とを備えている。
【００４２】
この場合、隣接する各２本のパイプ２５、２８のうち、一方のパイプ２５の連結部２６に雌金具２が取り付けられ、他方のパイプ２８の連結部２９に雄金具９が取り付けられ、雌金具２と雄金具９とを貫通する線状部材１７の一端が第１固着具１８を介して雌金具２の取付部３に固着され、他端が第２固着具１９を介して他方のパイプ２８の内周面３０に固着され、第２固着具１９と雄金具９の取付部１０との間にばね２１が圧縮された状態で介装されている（図１及び図２参照）。
【００４３】
また、図５及び図６に示すように、一端のパイプ４０には、長さ調整手段４１が形成されており、この長さ調整手段４１により一端のパイプ４０の長さを調整することにより、歩行用ストック３５の全長を所望の長さに調整できるようになっている。
【００４４】
長さ調整手段４１は、アウターパイプ４２と、アウターパイプ４２内にスライド可能に挿入されるインナーパイプ４４と、アウターパイプ４２の長手方向に沿って所定の間隔ごとに設けられるアウターパイプ４２の内外面を貫通する複数の係合孔４３と、インナーパイプ４４の一端部に設けられるとともに、ばね（図示せず）の付勢力によってインナーパイプ４４の外周面から出没可能であり、かつアウターパイプ４２の各係合孔４３と係合可能な係合ピン４５とを備え、アウターパイプ４２の一端部に把手３６が一体に取り付けられている。
【００４５】
この把手３６は使用者が握る外周面１１、握った手が下がるのを防止する下縁部４８、親指を押し付ける上縁部４９とを有している。
【００４６】
なお、４６は使用者の手が把手３６から離脱するのを防止するためのパッドであって、このパッド４６はクッション性を有する素材（ポリウレタンフォーム等）からなるストラップ４７よりも幅広の帯状をなすものであって、このパッド４６の内部にストラップ４７を挿通させることにより、パッド４６に取り付けられている。
【００４７】
そして、アウターパイプ４２の内側でインナーパイプ４４をスライドさせて、インナーパイプ４４側の係合ピン４５をアウターパイプ４２側の所望の係合孔４３に係合させることにより、一端のパイプ４０の長さを調整することができ、歩行用ストック３５の全長を調整することができる。
【００４８】
なお、上記実施例においてはアウターパイプ４２とインナーパイプ４４とをスライド可能とするとともに所定の位置で係合ピン４５による長さ調整可能としたが、アウターパイプ４２とインナーパイプ４４とを螺合させることによって螺合位置に応じて長さ調整可能に形成しても良い。
【００４９】
上記のような構成の歩行用ストック３５にあっては、隣接する各２本のパイプ２５、２８をばね２１の付勢力に抗して互いに引き離し、この状態で線状部材１７を雄金具９の嵌合部１２の係止溝１４内に内面側から外面側に向けて通して、何れかの係止具２０を嵌合部１２の外周面１３に係止させることにより、雌金具２と雄金具９とが互いに離間した状態（非嵌合状態）にロックされ、隣接する各２本のパイプ２５、２８が折り畳み可能な状態となり、ケースの内部に折り畳んだ状態で収納することが可能となる（図２参照）。
【００５０】
また、雌金具２と雄金具９とをばね２１の付勢力に抗して互いに離間する方向に引っ張り、線状部材１７を係止溝１４から外し、係止具２０の係止状態を解除することにより、雌金具２と雄金具９とがばね２１の付勢力によって互いに接近する方向に付勢され、雌金具２の被嵌合部６と雄金具９の嵌合部１２とが相互に嵌合された状態にロックされ、隣接する各２本のパイプ２５、２８が一体に連結され、棒状の歩行用ストック３５が構成されることになる（図１及び図４参照）。
【００５１】
したがって、図５及び図６に示すように、長さ調整手段４１のアウターパイプ４２に対するインナーパイプ４４の挿入位置を調整して、インナーパイプ４４側の係合ピン４５をアウターパイプ４２側の所望の係合孔４３に係合させて、一端のパイプ４０の長さを調整することで、歩行用ストック３５の全長を調整することができるので、身長等の異なる様々な人々に対応させることができる。
【００５２】
上記のように構成した本実施の形態による歩行用ストック３５にあっては、隣接する各２本のパイプ２５、２８を折り畳み可能に連結する連結金具１は、雌金具２と、雄金具９と、雌金具２と雄金具９とを嵌合状態又は非嵌合状態にロックするロック手段１６（雄金具９に設けられる係止溝１４、線状部材１７、線状部材１７に設けられる係止具２０、第１固着具１８、第２固着具１９、及びばね２１）からなるものであって、全体としての部品点数が少なく、各構成部品の構造が簡単なものであるので、製造、組立に要する時間と手間を削減することができ、安価なものを提供することができる。
【００５３】
また、一端のパイプ４０の長さを調整することにより、歩行用ストック３５の全長を調整することができるので、身長等の異なる様々な人々に対応することができ、汎用性を高めることができる。
【００５４】
なお、本実施の形態においては、連結金具１を歩行用ストック３５に適用した例について説明したが、釣竿、カメラの三脚、傘等の周知の各種の棒状のものに適用してもよいのは勿論であり、それらの場合にも同様の作用効果を奏する。
【図面の簡単な説明】
【００５５】
【図１】本発明による連結金具の一実施の形態の嵌合状態を示した概略断面図である。
【図２】図１の連結金具の非嵌合状態を示した概略断面図である。
【図３】図１の連結金具の雌金具と雄金具との関係を示した概略図である。
【図４】本発明による歩行用ストックの一実施の形態の全体を示した概略図である。
【図５】図４の歩行用ストックの部分拡大図であって、（ａ）はアウターパイプとインナーパイプとの分解状態を示した説明図、（ｂ）はアウターパイプとインナーパイプとの連結状態を示した説明図である。
【図６】図５（ｂ）の拡大断面図である。
【符号の説明】
【００５６】
１  連結金具
２  雌金具
３  取付部
５  外周面
６  被嵌合部
７  内周面
８  フランジ部
９  雄金具
１０  取付部
１１  外周面
１２  嵌合部
１３  外周面
１４  係止溝
１５  フランジ部
１６  ロック手段
１７  線状部材
１８  第１固着具
１９  第２固着具
２０  係止具
２１  ばね
２５  一方のパイプ
２６  連結部
２７  内周面
２８  他方のパイプ
２９  連結部
３０  内周面
３５  歩行用ストック
３６  把手
３７  石突
４０  一端のパイプ
４１  長さ調整手段
４２  アウターパイプ
４３  係合孔
４４  インナーパイプ
４５  係合ピン
４６  パッド
４７  ストラップ
４８  下縁部
４９  上縁部
【図１】
2010029357.tif 000003
【図２】
2010029357.tif 000004
【図３】
2010029357.tif 000005
【図４】
2010029357.tif 000006
【図５】
2010029357.tif 000007
【図６】
2010029357.tif 000008